(57)【特許請求の範囲】
【請求項１】
ＬＥＤが収納された灯体と、
前記灯体の高さを調整するアームと、
前記アームを出し入れ自在に収納する台座と、を備え、
前記アームの前記台座に対する伸縮状態に応じて、前記ＬＥＤの色温度が自動的に調整され、
前記アームは、前記灯体に連結された第１のアームと、前記第１のアームに接続され、前記第１のアームとは直径の異なる第２のアームとを有し、
前記第１のアームと前記第２のアームとの直径を検出することにより、前記ＬＥＤの色温度を切り替える切り替えスイッチを備える照明器具。
【請求項２】
請求項１に記載の照明器具において、
前記アームを前記台座に収納した時の前記ＬＥＤの色温度が、前記アームを前記台座から出した時の色温度よりも低い照明器具。
【請求項３】
請求項１または請求項２記載の照明器具において、
前記第２のアームは、前記第１のアームより小径、かつ可撓性を有する照明器具。
【発明の詳細な説明】
【技術分野】
【０００１】
本発明は、照明器具に関する。
【背景技術】
【０００２】
従来より、ＬＥＤの色温度が可変である照明器具が知られている（例えば、特許文献１参照）。特許文献１の照明器具は、赤、青、緑の３色のＬＥＤと、色相操作スイッチ等を備えている。そして、ユーザが色相操作スイッチを操作することにより、ＬＥＤの色温度を変更できるように構成されている。
【先行技術文献】
【特許文献】
【０００３】
【特許文献１】実開平５−７３８０７号公報（請求項１、図１、図２、段落００１１）
【発明の概要】
【発明が解決しようとする課題】
【０００４】
しかしながら、従来の照明器具は、照明器具の状態と、ＬＥＤの色温度との間に相関関係がないため、照明器具の状態が変化した際に、使用者が色相操作スイッチを操作することにより、ＬＥＤの色温度を調整しなければならず、手間がかかるという問題があった。
【０００５】
本発明は、前述した課題を解決するためになされたものであり、手間をかけずに、照明器具の状態に応じて、ＬＥＤの色温度を自動的に調整することが可能な照明器具を提供することにある。
【課題を解決するための手段】
【０００６】
本発明の照明器具は、ＬＥＤが収納された灯体と、前記灯体の高さを調整するアームと、前記アームを出し入れ自在に収納する台座と、を備え、前記アームの前記台座に対する伸縮状態に応じて、前記ＬＥＤの色温度が自動的に調整され、前記アームは、前記灯体に連結された第１のアームと、前記第１のアームに接続され、前記第１のアームより小径、かつ可撓性を有する第２のアームとを有し、前記第１のアームと前記第２のアームとの直径を検出することにより、前記ＬＥＤの色温度を切り替える切り替えスイッチを備える。
【０００７】
ここで、前記アームを前記台座に収納した時の前記ＬＥＤの色温度が、前記アームを前記台座から出した時の前記ＬＥＤの色温度よりも低い。
【０００８】
また、前記第２のアームは、前記第１のアームより小径、かつ可撓性を有する。
【発明の効果】
【０００９】
本発明によれば、アームの台座から出ている部分の伸縮状態に応じて、ＬＥＤの色温度を自動的に調整できるので、手間を省くことができる。
【図面の簡単な説明】
【００１０】
【図１】本発明に係る実施形態の照明器具を示す図
【図２】図１のＡ−Ａ断面図
【図３】図１のＢ−Ｂ断面図
【図４】アームの台座に対する伸縮状態等と、ＬＥＤの色温度との関係を示す図
【発明を実施するための形態】
【００１１】
以下、本発明に係る実施形態の照明器具について、図面を参照して説明する。
図１および図２は、本発明に係る実施形態の照明器具１０を示す。この照明器具１０は、ＬＥＤ１１が収納された灯体１２と、灯体１２の高さを調整するアーム１３と、アーム１３を出し入れ自在に収納する台座１４と、を備えている。そして、アーム１３の台座１４から出ている部分の伸縮状態に応じて、ＬＥＤ１１の色温度が自動的に調整されるように構成されている。
【００１２】
アーム１３は、図２に示すように、台座１４における収納部の開口２０に挿入可能な直径を有し、かつ剛性の高い収納不可アーム（第１のアーム）２１と、収納不可アーム２１より小径、かつ可撓性を有する延長用収納自在アーム（第２のアーム）２２とを有している。収納不可アーム２１は、台座１４の開口２０に挿入可能であるが、台座１４内に収納不可能である。延長用収納自在アーム２２は、台座１４内に出し入れ自在に収納されている。延長用収納自在アーム２２は、例えばフレキシブルパイプ等を使用できる。
【００１３】
収納不可アーム２１および延長用収納自在アーム２２内には、ＬＥＤ１１に電源を供給する電源線２３が挿通されている。この電源線２３は、台座１４内のＬＥＤ電源ブロック２４に接続されている。また、台座１４の開口２０には、収納不可アーム２１および延長用収納自在アーム２２の直径を検出する色温度切り替えスイッチ２５が設けられている。
【００１４】
この色温度切り替えスイッチ２５は、台座１４内に取り付けられたスイッチ本体２６と、スイッチ本体２６に弾性的に出没可能に設けられた検出子２７とを有している。検出子２７は、開口２０内に配置されている。そして、開口２０を通過する収納不可アーム２１または延長用収納自在アーム２２の中心部分に、検出子２７が接触することにより、その直径を検出する。延長用収納自在アーム２２は、図３に示すように、台座１４内において、湾曲状に曲げられて収納されている。
【００１５】
図１に示すように、延長用収納自在アーム２２が、台座１４内に全て収納されている場合は、収納不可アーム２１の下端部が開口２０内に挿入され、色温度切り替えスイッチ２５によって収納不可アーム２１の直径が検出される。この場合は、収納不可アーム２１は、鉛直方向に起立した状態となる。また、この状態では、灯体１２の高さが比較的低く、かつ灯体１２が上向きになるので、照明器具１０をフロアライトとして使用する場合に適している。
【００１６】
また、図２に示すように、延長用収納自在アーム２２の一部又は全部が台座１４から外に出されている場合は、開口２０内に延長用収納自在アーム２２が配置され、延長用収納自在アーム２２が色温度切り替えスイッチ２５によって検出される。この状態では、灯体１２の高さが比較的高く、かつ延長用収納自在アーム２２を曲げることにより、灯体１２を下向きにできるので、照明器具１０を手元灯として使用する場合に適している。
【００１７】
次に、この照明器具１０の作用について説明する。この照明器具１０は、図４に示すように、生活シーン、器具使用目的、器具形状、アーム長さ（アーム伸縮状態）に応じて、ＬＥＤ１１の色温度が自動的に調整される。
【００１８】
生活シーンが「くつろぎ」、器具使用目的が「フロアライト」、器具形状が「上向き」、アーム長さが「短い（収納時）」である場合には、点灯色温度（ＬＥＤ１１の色温度）が「低い（２７００Ｋ）」に設定される。
【００１９】
また、生活シーンが「読書・勉強」、器具使用目的が「手元灯」、器具形状が「下向き」、アーム長さが「長い（延長時）」である場合には、点灯色温度が「高い（５０００Ｋ）」に設定される。
【００２０】
本発明の照明器具１０によれば、アーム１３の台座１４から出ている部分の伸縮状態に応じて、ＬＥＤ１１の色温度が自動的に調整されるので、手間を省くことができる。
【００２１】
また、アーム１３の縮小状態（延長用収納自在アーム２２を台座１４に収納した状態）の色温度が、アーム１３の伸張状態（延長用収納自在アーム２２を台座１４から出した状態）の色温度よりも低いので、照明器具１０をフロアライトとして使用する際に、くつろげる色温度となり、手元光（延長用収納自在アーム２２を延ばした状態）として使用する際には、作業、読書に適した色温度にできる。
【００２２】
また、アーム１３は、直径の異なる収納不可アーム２１と、延長用収納自在アーム２２とを有しているので、収納不可アーム２１および延長用収納自在アーム２２の直径を検知することにより、アーム１３の台座１４からの伸縮状態を簡単に検出できる。
【符号の説明】
【００２３】
１０  照明器具
１１  ＬＥＤ
１２  灯体
１３  アーム
１４  台座
２１  収納不可アーム（第１のアーム）
２２  延長用収納自在アーム（第２のアーム）
２５  色温度切り替えスイッチ
【図１】
0005635361.tif 000002
【図２】
0005635361.tif 000003
【図３】
0005635361.tif 000004
【図４】
0005635361.tif 000005